(57)【要約】【課題】顧客による誤った振込先支店名の選択を防止する。【解決手段】自動取引装置は、類似する複数の振込先支店名の関連付け情報が記憶される記憶部と、顧客操作に応じて振込先支店名を選択する第１の選択部と、第１の選択部により振込先支店名が選択されたときに、当該振込先支店名を含む複数の振込先支店名の関連付け情報が記憶部に記憶されているか否かを判定する判定部と、判定部の判定結果が真である場合に、第１の選択部により選択された振込先支店名を含む前記複数の振込先支店名を一覧表示する表示部と、表示部により一覧表示された複数の振込先支店名の中から、顧客操作に応じて振込先支店名を選択する第２の選択部と、判定部の判定結果が真である場合に、第２の選択部により選択された振込先支店名を、振込取引における振込先支店名として確定する確定部とを備える。【選択図】図７
2017146901.tif 000002
【特許請求の範囲】
【請求項１】
少なくとも振込取引を行う自動取引装置であって、
類似する複数の振込先支店名の関連付け情報が記憶される記憶部と、
顧客操作に応じて前記振込取引における振込先支店名を選択する第１の選択部と、
前記第１の選択部により振込先支店名が選択されたときに、当該振込先支店名を含む複数の振込先支店名の関連付け情報が前記記憶部に記憶されているか否かを判定する判定部と、
前記第１の選択部により選択された振込先支店名を含む複数の振込先支店名の関連付け情報が前記記憶部に記憶されていると前記判定部により判定された場合に、当該複数の振込先支店名を一覧表示する表示部と、
前記表示部により一覧表示された複数の振込先支店名の中から、顧客操作に応じて前記振込取引における振込先支店名を選択する第２の選択部と、
前記第１の選択部により選択された振込先支店名を含む複数の振込先支店名の関連付け情報が前記記憶部に記憶されていると前記判定部により判定された場合に、前記第２の選択部により選択された振込先支店名を、前記振込取引における振込先支店名として確定する確定部と、
を備えることを特徴とする自動取引装置。
【請求項２】
前記確定部は、前記第１の選択部により選択された振込先支店名を含む複数の振込先支店名の関連付け情報が前記記憶部に記憶されていないと前記判定部により判定された場合に、前記第１の選択部により選択された振込先支店名を、前記振込取引における振込先支店名として確定する、
ことを特徴とする請求項１記載の自動取引装置。
【請求項３】
前記表示部は、前記複数の振込先支店名を一覧表示する際に、前記第１の選択部により選択された振込先支店名を他の振込先支店名と区別可能に一覧表示する、
ことを特徴とする請求項１又は２記載の自動取引装置。
【請求項４】
前記表示部は、前記複数の振込先支店名を、当該複数の振込先支店名の振込先支店の住所と共に、一覧表示する、
ことを特徴とする請求項１乃至３の何れか１項に記載の自動取引装置。
【請求項５】
前記記憶部に記憶される関連付け情報は、過去の振込取引において振込先支店名が誤りであったために当該振込先支店名の修正が行われたときの、修正前振込先支店名と修正後振込先支店名の関連付け情報を含む、
ことを特徴とする請求項１乃至４の何れか１項に記載の自動取引装置。
【請求項６】
前記記憶部に記憶される関連付け情報は、共通の連続する複数の文字を含む複数の振込先支店名の関連付け情報を含む、
ことを特徴とする請求項１乃至５の何れか１項に記載の自動取引装置。
【請求項７】
少なくとも振込取引を行う自動取引装置の振込先支店名選択方法であって、
類似する複数の振込先支店名の関連付け情報を記憶部に記憶し、
顧客操作に応じて前記振込取引における振込先支店名を選択するという第１の選択を行い、
前記第１の選択により選択した振込先支店名を含む複数の振込先支店名の関連付け情報が前記記憶部に記憶されているか否かを判定し、
前記第１の選択により選択した振込先支店名を含む複数の振込先支店名の関連付け情報が前記記憶部に記憶されていると判定した場合に、当該複数の振込先支店名を一覧表示し、
前記一覧表示した複数の振込先支店名の中から、顧客操作に応じて前記振込取引における振込先支店名を選択するという第２の選択を行い、
前記第１の選択により選択した振込先支店名を含む複数の振込先支店名の関連付け情報が前記記憶部に記憶されていると判定した場合は前記第２の選択により選択した振込先支店名を、又は、前記第１の選択により選択した振込先支店名を含む複数の振込先支店名の関連付け情報が前記記憶部に記憶されていないと判定した場合は前記第１の選択により選択した振込先支店名を、前記振込取引における振込先支店名として確定する、
ことを特徴とする振込先支店名選択方法。
【請求項８】
少なくとも振込取引を行う自動取引装置のコンピュータに、
類似する複数の振込先支店名の関連付け情報を記憶部に記憶する記憶機能と、
顧客操作に応じて前記振込取引における振込先支店名を選択する第１の選択機能と、
前記第１の選択機能により振込先支店名が選択されたときに、当該振込先支店名を含む複数の振込先支店名の関連付け情報が前記記憶部に記憶されているか否かを判定する判定機能と、
前記第１の選択機能により選択された振込先支店名を含む複数の振込先支店名の関連付け情報が前記記憶部に記憶されていると前記判定機能により判定された場合に、当該複数の振込先支店名を一覧表示する表示機能と、
前記表示機能により一覧表示された複数の振込先支店名の中から、顧客操作に応じて前記振込取引における振込先支店名を選択する第２の選択機能と、
前記第１の選択機能により選択された振込先支店名を含む複数の振込先支店名の関連付け情報が前記記憶部に記憶されていると前記判定機能により判定された場合は前記第２の選択機能により選択された振込先支店名を、又は、前記第１の選択機能により選択された振込先支店名を含む複数の振込先支店名の関連付け情報が前記記憶部に記憶されていないと前記判定機能により判定された場合は前記第１の選択機能により選択された振込先支店名を、前記振込取引における振込先支店名として確定する確定機能と、
を実現させるための振込先支店名選択プログラム。
【発明の詳細な説明】
【技術分野】
【０００１】
本発明は、顧客との間で振込取引等の各種取引を自動で行う自動取引装置、その自動取引装置の振込先支店名選択方法、及びその自動取引装置で実行される振込先支店名選択プログラムに関する。
【背景技術】
【０００２】
従来、コンビニエンスストアや金融機関等に設置される現金自動預金支払機（ＡＴＭ：Automated Teller Machine）等の自動取引装置では、顧客操作に応じて、顧客が要求する各種取引が自動で行われている。
【０００３】
このような自動取引装置において振込取引が行われる場合は、顧客操作に応じて振込先の金融機関名及び支店名等の選択や振込先の口座番号等の入力が行われる。例えば、振込先支店名の選択では、まず、自動取引装置のディスプレイに片仮名の５０音表が表示される。顧客が、その５０音表の中から所望の振込先支店名の片仮名読みの先頭１文字を選択すると、その１文字を先頭文字とする振込先支店名の一覧が表示され、その一覧の中から所望の振込先支店名を選択することができる（例えば特許文献１参照）。
【０００４】
また、振込先支店名の選択において、顧客が、自動取引装置のディスプレイに表示された片仮名の５０音表の中から所望の振込先支店名の片仮名読みの一部の文字を選択等すると、その一部の文字を含む振込先支店名の一覧が表示され、その一覧の中から所望の振込先支店名を選択することができるようにした自動取引装置もある（例えば特許文献２参照）。また、この自動取引装置では、その一覧と共に類似キーが表示される。その一覧の中に所望の振込先支店名が含まれていない場合に、顧客が、その類似キーを選択すると共にその一覧の中から所望の振込先支店名に似た振込先支店名を選択すると、選択した振込先支店名に類似する振込先支店名の一覧が表示され、その一覧の中から所望の振込先支店名を選択することもできる。
【先行技術文献】
【特許文献】
【０００５】
【特許文献１】特開２００６−１８５２４４号公報
【特許文献２】特開平９−２７００４号公報
【発明の概要】
【発明が解決しようとする課題】
【０００６】
従来の自動取引装置における振込取引では、顧客が振込先支店名の一覧の中から所望の振込先支店名を選択するときに、本来選択すべき振込先支店名ではない誤った振込先支店名を選択してしまう場合があった。例えば、振込先支店名の一覧の中に、「前橋南」、「前橋南モール」、及び「前橋南橘」等といった紛らわしく間違われ易い複数の振込先支店名が含まれていた場合に、顧客が誤った振込先支店名を選択してしまう場合があった。また、例えば、顧客自身がそもそも振込先支店名を誤って認識していたために誤った振込先支店名を選択してしまう場合もあった。
【０００７】
このように本来選択されるべき振込先支店名ではない誤った振込先支店名が選択されてしまうと、結果として、例えば口座番号等との不一致により、振込取引が正常に実施されず、振込取引エラーが発生してしまった。振込取引エラーが発生すると、行員は、振込取引を依頼した顧客への連絡や振込取引をやり直すための振込先支店名の修正等といった後処理が必要になり、行員の後処理に係る負担は大きかった。
【０００８】
本発明は、上記実状に鑑み、顧客による誤った振込先支店名の選択を防止することができる自動取引装置、振込先支店名選択方法、及び振込先支店名選択プログラムを提供することを目的とする。
【課題を解決するための手段】
【０００９】
装置の一観点によれば、少なくとも振込取引を行う自動取引装置は、類似する複数の振込先支店名の関連付け情報が記憶される記憶部と、顧客操作に応じて前記振込取引における振込先支店名を選択する第１の選択部と、前記第１の選択部により振込先支店名が選択されたときに、当該振込先支店名を含む複数の振込先支店名の関連付け情報が前記記憶部に記憶されているか否かを判定する判定部と、前記第１の選択部により選択された振込先支店名を含む複数の振込先支店名の関連付け情報が前記記憶部に記憶されていると前記判定部により判定された場合に、当該複数の振込先支店名を一覧表示する表示部と、前記表示部により一覧表示された複数の振込先支店名の中から、顧客操作に応じて前記振込取引における振込先支店名を選択する第２の選択部と、前記第１の選択部により選択された振込先支店名を含む複数の振込先支店名の関連付け情報が前記記憶部に記憶されていると前記判定部により判定された場合に、前記第２の選択部により選択された振込先支店名を、前記振込取引における振込先支店名として確定する確定部と、を備える。
【００１０】
方法の一観点によれば、少なくとも振込取引を行う自動取引装置の振込先支店名選択方法は、類似する複数の振込先支店名の関連付け情報を記憶部に記憶し、顧客操作に応じて前記振込取引における振込先支店名を選択するという第１の選択を行い、前記第１の選択により選択した振込先支店名を含む複数の振込先支店名の関連付け情報が前記記憶部に記憶されているか否かを判定し、前記第１の選択により選択した振込先支店名を含む複数の振込先支店名の関連付け情報が前記記憶部に記憶されていると判定した場合に、当該複数の振込先支店名を一覧表示し、前記一覧表示した複数の振込先支店名の中から、顧客操作に応じて前記振込取引における振込先支店名を選択するという第２の選択を行い、前記第１の選択により選択した振込先支店名を含む複数の振込先支店名の関連付け情報が前記記憶部に記憶されていると判定した場合は前記第２の選択により選択した振込先支店名を、又は、前記第１の選択により選択した振込先支店名を含む複数の振込先支店名の関連付け情報が前記記憶部に記憶されていないと判定した場合は前記第１の選択により選択した振込先支店名を、前記振込取引における振込先支店名として確定する。
【００１１】
プログラムの一観点によれば、振込先支店名選択プログラムは、少なくとも振込取引を行う自動取引装置のコンピュータに、類似する複数の振込先支店名の関連付け情報を記憶部に記憶する記憶機能と、顧客操作に応じて前記振込取引における振込先支店名を選択する第１の選択機能と、前記第１の選択機能により振込先支店名が選択されたときに、当該振込先支店名を含む複数の振込先支店名の関連付け情報が前記記憶部に記憶されているか否かを判定する判定機能と、前記第１の選択機能により選択された振込先支店名を含む複数の振込先支店名の関連付け情報が前記記憶部に記憶されていると前記判定機能により判定された場合に、当該複数の振込先支店名を一覧表示する表示機能と、前記表示機能により一覧表示された複数の振込先支店名の中から、顧客操作に応じて前記振込取引における振込先支店名を選択する第２の選択機能と、前記第１の選択機能により選択された振込先支店名を含む複数の振込先支店名の関連付け情報が前記記憶部に記憶されていると前記判定機能により判定された場合は前記第２の選択機能により選択された振込先支店名を、又は、前記第１の選択機能により選択された振込先支店名を含む複数の振込先支店名の関連付け情報が前記記憶部に記憶されていないと前記判定機能により判定された場合は前記第１の選択機能により選択された振込先支店名を、前記振込取引における振込先支店名として確定する確定機能と、を実現させる。
【発明の効果】
【００１２】
開示の装置、方法、及びプログラムは、顧客による誤った振込先支店名の選択を防止することができる、という効果を奏する。
【図面の簡単な説明】
【００１３】
【図１】一実施の形態に係る自動取引装置を含む自動取引システムの構成例を示す図である。
【図２】一実施の形態に係る自動取引装置の外観例を示す図である。
【図３】一実施の形態に係る自動取引装置のハードウェア構成例を示す図である。
【図４】支店名マスタテーブルのデータ構成例を示す図である。
【図５】振込先支店名間違い履歴テーブルのデータ構成例を示す図である。
【図６】振込先支店名類似テーブルのデータ構成例を示す図である。
【図７】一実施の形態に係る自動取引装置の機能ブロック例を示す図である。
【図８】ホストコンピュータが繰り返し行う振込先支店名間違い履歴テーブル作成処理の一例を示すフローチャートである。
【図９】振込先支店名間違い履歴テーブル登録画面の一例を示す図である。
【図１０】一実施の形態に係る自動取引装置が行う振込先支店名類似テーブル作成処理の一例を示すフローチャートである。
【図１１】一実施の形態に係る自動取引装置が行う自動取引処理の一例を示すフローチャートである。
【図１２】取引選択画面の一例を示す図である。
【図１３】振込取引における振込先金融機関名選択画面の一例を示す図である。
【図１４】振込取引における振込先支店名先頭文字選択画面の一例を示す図である。
【図１５】振込取引における第１の振込先支店名選択画面の一例を示す図である。
【図１６】振込取引における第２の振込先支店名選択画面の一例を示す図である。
【図１７】振込取引における振込先口座番号入力画面の一例を示す図である。
【発明を実施するための形態】
【００１４】
以下、図面を参照しながら本発明の実施の形態を説明する。
図１は、本発明の一実施の形態に係る自動取引装置を含む自動取引システムの構成例を示す図である。
【００１５】
図１において、自動取引システムは、例えば銀行等の金融機関の店舗又はコンビニエンスストアの店舗等に設置されるＡＴＭ等の自動取引装置１と、金融機関が管理するホストコンピュータ２とを含む。自動取引装置１は、ネットワーク３を介してホストコンピュータ２に通信可能に接続されている。ネットワーク３は、例えば、インターネット、イントラネット、又は自動取引システムのための専用の通信網等である。
【００１６】
図２は、自動取引装置１の外観例を示す図である。
図２に示したように、自動取引装置１は、通帳挿入部１０、カード挿入部１１、硬貨入出金部１２、紙幣入出金部１３、及び表示入力部１４等を備える。
【００１７】
通帳挿入部１０は、通帳を受け付け、例えば通帳の側面に添付されている磁気ストライブ部等に記憶されているデータの読み込みや通帳記入等の一定の処理を行った後に通帳を返却する。
【００１８】
カード挿入部１１は、キャッシュカードを受け付け、キャッシュカード内に記憶されているデータを読み込む等の一定の処理を行った後にキャッシュカードを返却する。また、カード挿入部１１は、振込カードの発行の際には、作成された振込カードを排出し、振込カードの利用の際には、振込カードを受け付け、振込カード内に記憶されているデータを読み込む等の一定の処理を行った後に振込カードを返却する。また、カード挿入部１１は、取引結果の確認のための取引明細が印刷されたレシートを排出（返却）する。
【００１９】
硬貨入出金部１２は、硬貨の受け付け及び払い出しを行う。
紙幣入出金部１３は、紙幣の受け付け及び払い出しを行う。
【００２０】
表示入力部１４は、取引内容メニューや取引結果の案内等を表示したり、処理要求等を受け付けたりする。
【００２１】
図３は、自動取引装置１のハードウェア構成例を示す図である。
図３に示したように、自動取引装置１は、ＡＴＭ制御部２０、紙幣処理ユニット３０、硬貨処理ユニット４０、通帳処理ユニット５０、カード処理ユニット６０、及びレシート発行処理ユニット７０を含む。
【００２２】
ＡＴＭ制御部２０は、主制御部２１、メモリ２２、ハードディスク２３、ホスト通信制御部２４、画面表示部２５、キー入力部２６、及びＩＯ（Input Output）制御部２７を含む。なお、ＡＴＭ制御部２０は、コンピュータの一例である。
【００２３】
主制御部２１は、ＣＰＵ（Central Processing Unit）を含み、自動取引装置１の全体を制御する。例えば、主制御部２１は、ＩＯ制御部２７を介して、紙幣処理ユニット３０、硬貨処理ユニット４０、通帳処理ユニット５０、カード処理ユニット６０、及びレシート発行処理ユニット７０を制御する。また、例えば、主制御部２１は、自動取引装置１で受け付けた振込取引等の取引に関するデータを、ホスト通信制御部２４を介してホストコンピュータ２へ送信する等の制御も行う。
【００２４】
メモリ２２は、ＲＡＭ（Random Access Memory）及びＲＯＭ（Read Only Memory）等により構成される。メモリ２２のＲＡＭは、主制御部２１のＣＰＵにより実行されるプログラムの一部や、そのＣＰＵの処理に必要な各種データ等が一時的に格納される。なお、主制御部２１のＣＰＵにより実行されるプログラムは、ＯＳ（Operating System）のプログラムや自動取引装置１の各機能を制御し実行するための制御プログラム（後述の振込先支店名類似テーブル作成処理や自動取引処理を実行するためのプログラムを含む）である。
【００２５】
メモリ２２のＲＯＭ及びハードディスク２３は、主制御部２１のＣＰＵにより実行されるプログラムや、そのＣＰＵの処理に必要な各種データ等が記憶される。また、本実施形態において、ハードディスク２３は、後述の支店名マスタテーブル、振込先支店名間違い履歴テーブル、及び振込先支店名類似テーブル等も記憶される。なお、支店名マスタテーブル及び振込先支店名間違い履歴テーブルは、ホストコンピュータ２からネットワーク３及びホスト通信制御部２４を介してハードディスク２３に記憶される。また、振込先支店名類似テーブルは、自動取引装置１にて作成されハードディスク２３に記憶される。
【００２６】
ホスト通信制御部２４は、ホストコンピュータ２との通信を制御する。なお、ホスト通信制御部２４は、ネットワーク３に接続される他の装置との通信を制御することもできる。
【００２７】
画面表示部２５及びキー入力部２６は、顧客（利用者）が自動取引装置１を操作する際のインタフェースであり、上記の表示入力部１４でもある。より詳しくは、画面表示部２５は、取引メニューや取引に関する案内を表示する。また、キー入力部２６は、顧客による入力に使用されるテンキーやキーボタン等として機能するタッチパネルである。
【００２８】
ＩＯ制御部２７は、紙幣処理ユニット３０、硬貨処理ユニット４０、通帳処理ユニット５０、カード処理ユニット６０、及びレシート発行処理ユニット７０との間の入出力インタフェースである。
【００２９】
なお、ＡＴＭ制御部２０において、ハードディスク２３に記憶されるＯＳのプログラムや制御プログラムは、例えば、図示しない外部装置から、ネットワーク３及びホスト通信制御部２４を介してハードディスク２３に記憶されてもよい。あるいは、図示しない可搬型記録媒体から、図示しない可搬型記録媒体インタフェースを介して、ハードディスク２３に記憶されてもよい。また、主制御部２１のＣＰＵにより実行されるＯＳのプログラムや制御プログラムは、例えば、図示しない外部装置から、ネットワーク３及びホスト通信制御部２４を介して、メモリ２２のＲＡＭに格納され、主制御部２１のＣＰＵにより実行されてもよい。あるいは、図示しない可搬型記録媒体から、図示しない可搬型記録媒体インタフェースを介して、メモリ２２のＲＡＭに格納され、主制御部２１のＣＰＵにより実行されてもよい。
【００３０】
紙幣処理ユニット３０は、入金や振込みのときに紙幣入出金部１３から投入された紙幣の枚数を計数し、紙幣の種類を判別する。また、紙幣の払い出しを行うときに、払い出すための紙幣を計数する。
【００３１】
硬貨処理ユニット４０は、入金や振込みのときに硬貨入出金部１２から投入された硬貨の枚数を計数し、硬貨の種類を判別する。また、硬貨の払い出しを行うときに、払い出すための硬貨を計数する。
【００３２】
通帳処理ユニット５０は、通帳挿入部１０から挿入された通帳の磁気ストライプ部に記憶されているデータを読み取る。また、通帳に対して通帳記入を行う。
【００３３】
カード処理ユニット６０は、カード挿入部１１から挿入されたカード媒体の磁気ストライプ部やＩＣチップ部に記憶されているデータを読み取る。また、カード処理ユニット６０は、振込カードの発行を行う。さらに、カード処理ユニット６０は、取引に応じて記録または書き込み等の処理が完了した磁気カードを、カード挿入部１１から排出して、顧客に返却する。
【００３４】
レシート発行処理ユニット７０は、取引結果の確認のための取引明細が印刷されたレシートを発行し、カード挿入部１１から排出する。
【００３５】
図４は、支店名マスタテーブルのデータ構成例を示す図である。
図４に示したように、支店名マスタテーブルは、少なくとも振込取引における振込先支店名として選択され得る支店に関する情報として、各支店の「支店番号」、「支店名」、「カナ」、及び「住所」に関する情報を格納する。「支店番号」は、支店に一意に付された番号である。「支店名」は支店の名称である。「カナ」は、支店名の片仮名読みである。「住所」は、支店が存在する土地の所在である。図４に示した支店名マスタテーブルによれば、例えば、伊勢崎支店は、「支店番号」が「１」であり、「支店名」が「伊勢崎」であり、「カナ」が「イセサキ」であり、「住所」が「伊勢崎市本町」であることを示している。
【００３６】
図５は、振込先支店名間違い履歴テーブルのデータ構成例を示す図である。
図５に示したように、振込先支店名間違い履歴テーブルは、過去の振込取引において発生した振込先支店名の間違い履歴に関する情報として、「分類文字」、「間違い元カナ支店名」、及び「間違い先カナ支店名」に関する情報を格納する。「分類文字」は、顧客が間違えて選択した振込先支店名の片仮名読みの先頭１文字である。「間違い元カナ支店名」は、顧客が間違えて選択した振込先支店名の片仮名読みである。「間違い先カナ支店名」は、行員等により修正された振込先支店名の片仮名読みである。なお、「間違い元カナ支店名」は、行員等による修正前の振込先支店名の片仮名読みでもある。図５に示した振込先支店名間違い履歴テーブルによれば、例えば、過去の振込取引において顧客により誤って選択された前橋南（「マエバシミナミ」）支店が、行員等によって高崎南（「タカサキミナミ」）支店に修正されたことを示している。このような振込先支店名間違い履歴テーブルは、後述の図８に例示するテーブル作成処理によって作成される。
【００３７】
図６は、振込先支店名類似テーブルのデータ構成例を示す図である。
図６に示したように、振込先支店名類似テーブルは、共通の連続する複数の文字を有する振込先支店名に関する情報として、「分類文字」、「類似元支店名」、及び１つ以上の「類似先支店名」（「類似先支店名１」、「類似先支店名２」・・・）に関する情報を格納する。「分類文字」は、「類似元支店名」とされた振込先支店名の片仮名読みの先頭１文字である。「類似元支店名」は、類似元とされた振込先支店名である。１つ以上の「類似先支店名」は、類似先とされた振込先支店名であって、「類似元支店名」とされた振込先支店名内の連続する複数の文字と共通の連続する複数の文字を有する振込先支店名である。図６に示した振込先支店名類似テーブルによれば、例えば、「分類文字」が「マ」の「類似元支店名」とされた「前橋南」は、「類似元支店名１」が「前橋南モール」であり、「類似元支店名２」が「前橋南橘」であること等を示している。なお、「前橋南」、「前橋南モール」、及び「前橋南橘」は、共通の連続する３つの文字（「南前橋」）を有する。このような振込先支店名類似テーブルは、後述の図１０に例示するテーブル作成処理によって作成される。
【００３８】
図７は、自動取引装置１の機能ブロック例を示す図である。
図７に示したように、自動取引装置１は、第１の選択部７１、記憶部７２、判定部７３、表示部７４、第２の選択部７５、及び確定部７６を含む。
【００３９】
第１の選択部７１は、顧客操作（表示入力部１４に対する顧客操作）に応じて、振込取引における振込先支店名を選択する。
【００４０】
記憶部７２は、類似する複数の振込先支店名の関連付け情報が記憶される。例えば、過去の振込取引において振込先支店名が誤りであったために行員等により当該振込先支店名の修正が行われたときの、修正前振込先支店名と修正後振込先支店名の関連付け情報や、共通の連続する複数の文字を含む複数の振込先支店名の関連付け情報等が記憶される。なお、前者の関連付け情報は、例えば、図５に例示した振込先支店名間違い履歴テーブルに格納される情報であり、後者の関連付け情報は、例えば、図６に例示した振込先支店名類似テーブルに格納される情報である。
【００４１】
判定部７３は、第１の選択部７１により振込先支店名が選択されたときに、当該振込先支店名を含む複数の振込先支店名の関連付け情報が記憶部７２に記憶されているか否かを判定する。
【００４２】
表示部７４は、第１の選択部７１により選択された振込先支店名を含む複数の振込先支店名の関連付け情報が記憶部７２に記憶されていると判定部７３により判定された場合に、当該複数の振込先支店名を一覧表示する。また、表示部７４は、その複数の振込先支店名を一覧表示する際に、第１の選択部７１により選択された振込先支店名を他の振込先支店名と区別可能に一覧表示することもできる。さらに、表示部７４は、その一覧表示の際に、その複数の振込先支店名を、その複数の振込先支店名の振込先支店の住所と共に、一覧表示することもできる。
【００４３】
第２の選択部７５は、表示部７４により一覧表示された複数の振込先支店名の中から、顧客操作に応じて、振込取引における振込先支店名を選択する。
【００４４】
確定部７６は、第１の選択部７１により選択された振込先支店名を含む複数の振込先支店名の関連付け情報が記憶部７２に記憶されていると判定部７３により判定された場合には、第２の選択部７５により選択された振込先支店名を、振込取引における振込先支店名として確定する。また、確定部７６は、第１の選択部７１により選択された振込先支店名を含む複数の振込先支店名の関連付け情報が記憶部７２に記憶されていないと判定部７３により判定された場合には、第１の選択部７１により選択された振込先支店名を、振込取引における振込先支店名として確定する。
【００４５】
次に、ホストコンピュータ２が行う振込先支店名間違い履歴テーブル作成処理について説明する。
【００４６】
図８は、ホストコンピュータ２が繰り返し行う振込先支店名間違い履歴テーブル作成処理の一例を示すフローチャートである。図９は、振込先支店名間違い履歴テーブル登録画面の一例を示す図である。
【００４７】
図８において、ホストコンピュータ２は、まず、振込先支店名の間違いが発生したか否かを判定する（Ｓ１０１）。なお、この判定は、振込先支店名の間違いにより振込取引が実施されなかったか否かを判定することでもある。
【００４８】
Ｓ１０１の判定結果がＮｏの場合は、本判定を繰り返す。
一方、Ｓ１０１の判定結果がＹｅｓの場合、ホストコンピュータ２は、当該ホストコンピュータ２の図示しない記憶部に記憶されている振込先支店名間違い履歴テーブルに、間違いであった振込先支店名に該当する分類文字の行を挿入する（Ｓ１０２）。例えば、間違いであった振込先支店名が「前橋南」であった場合には、該当する分類文字「マ」の行が振込先支店名間違い履歴テーブルに挿入される。なお、間違いであった振込先支店名に該当する分類文字の行は、５０音順に、振込先支店名類似テーブルに挿入される。但し、振込先支店名間違い履歴テーブルに、間違いであった振込先支店名に該当する分類文字と同じ分類文字の行が既に１つ以上存在する場合には、その１つ以上の行の最後の行の次の行に、間違いであった振込先支店名に該当する分類文字の行が挿入される。
【００４９】
続いて、ホストコンピュータ２は、Ｓ１０２で挿入した行の間違い元カナ支店名として、間違いであった振込先支店名の片仮名読みを設定する（Ｓ１０３）。
【００５０】
続いて、ホストコンピュータ２は、Ｓ１０２で挿入した行の間違い先カナ支店名として、修正された振込先支店名の片仮名読みを設定する（Ｓ１０４）。
【００５１】
なお、Ｓ１０３及びＳ１０４での設定は、例えば、ホストコンピュータ２の図示しないディスプレイに表示される、図９に例示されるような振込先支店名間違い履歴テーブル登録画面に対する行員等の入力操作に応じて行われる。図９に示した例では、間違い元カナ支店名として「マエバシミナミ」が入力され、間違い先カナ支店名として「タカサキミナミ」が入力されている。間違い先カナ支店名は、例えば、行員等による顧客への連絡等を介して取得される。
【００５２】
Ｓ１０４が終了すると、本処理が終了する。
このようにしてホストコンピュータ２の図示しない記憶部に記憶されている振込先支店名間違い履歴テーブルが１回以上更新されると、その更新後振込先支店名間違い履歴テーブルがホストコンピュータ２から自動取引装置１へ送信される。そして、その更新後振込先支店名間違い履歴テーブルが自動取引装置１のハードディスク２３に記憶される。あるいは、自動取引装置１のハードディスク２３に記憶されていた振込先支店名間違い履歴テーブルが、その更新後振込際支店名間違い履歴テーブルに置き換えられる（更新される）。
【００５３】
次に、自動取引装置１が行う振込先支店名類似テーブル作成処理について説明する。
図１０は、自動取引装置１が行う振込先支店名類似テーブル作成処理の一例を示すフローチャートである。なお、この振込先支店名類似テーブル作成処理は、例えば、ハードディスク２３に最初に支店名マスタテーブルが記憶されたとき、或いは、ハードディスク２３に記憶されていた支店名マスタテーブルが置き換えられた（更新された）とき等に行われる。
【００５４】
図１０において、自動取引装置１の主制御部２１は、まず、空の振込先支店名類似テーブルを作成し、それをハードディスク２３に記憶する（Ｓ２０１）。
【００５５】
続いて、主制御部２１は、比較元とする支店名の指定に使用する変数Ｌを１に設定し（Ｌ＝１）、比較先とする支店名の指定に使用する変数Ｍを２に設定する（Ｍ＝２）（Ｓ２０２）。
【００５６】
続いて、主制御部２１は、ハードディスク２３に記憶されている支店名マスタテーブルのＬ行目の支店名を比較元支店名として取得し（Ｓ２０３）、ハードディスク２３に記憶されている支店名マスタテーブルのＭ行目の支店名を比較先支店名として取得する（Ｓ２０４）。
【００５７】
続いて、主制御部２１は、類似先支店名の設定に使用する変数Ｎを１に設定する（Ｎ＝１）（Ｓ２０５）。
【００５８】
続いて、主制御部２１は、比較元支店名（支店名マスタテーブルのＬ行目の支店名）と比較先支店名（支店名マスタテーブルのＭ行目の支店名）とを比較し、両者が、共通の連続する複数の文字を有するか否かを判定する（Ｓ２０６）。
【００５９】
Ｓ２０６の判定結果がＹｅｓの場合、主制御部２１は、ハードディスク２３に記憶されている振込先支店名類似テーブルに、比較元支店名に該当する分類文字の行を挿入する（Ｓ２０７）。例えば、比較元支店名が「前橋南」であった場合には、振込先支店名類似テーブルに、該当する分類文字「マ」の行が挿入される。なお、比較元支店名に該当する分類文字の行は、５０音順に、振込先支店名類似テーブルに挿入される。但し、振込先支店名類似テーブルに、比較元支店名に該当する分類文字と同じ分類文字の行が既に１つ以上存在する場合には、その１つ以上の行の最後の行の次の行に、比較元支店名に該当する分類文字の行が挿入される。
【００６０】
続いて、主制御部２１は、Ｓ２０７で挿入した行の類似元支店名として、比較元支店名（支店名マスタテーブルのＬ行目の支店名）を設定し（Ｓ２０８）、Ｓ２０７で挿入した行の類似先支店名Ｎとして、比較先支店名（支店名マスタテーブルのＭ行目の支店名）を設定する（Ｓ２０９）。
【００６１】
一方、Ｓ２０６の判定結果がＮｏの場合、又はＳ２０９の後、主制御部２１は、支店名マスタテーブルのＭ行目が最終行か否かを判定する（Ｓ２１０）。
【００６２】
Ｓ２１０の判定結果がＮｏの場合、主制御部２１は、変数ＭをＭ＋１に設定し（Ｍ＝Ｍ＋１）（Ｓ２１１）、Ｓ２２０へ進み、Ｍ＝Ｌであるか否かを判定する。Ｓ２２０の判定結果がＹｅｓの場合、同じ支店名を比較してしまうことになるので、Ｓ２１０へ戻る。
【００６３】
一方、Ｓ２２０の判定結果がＮｏの場合、比較先支店名を取得するためＳ２１２へ進み、ハードディスク２３に記憶されている支店名マスタテーブルのＭ行目の支店名を比較先支店名として取得する。
【００６４】
続いて、主制御部２１は、比較元支店名（支店名マスタテーブルのＬ行目の支店名）と比較先支店名（支店名マスタテーブルのＭ行目の支店名）とを比較し、両者が、共通の連続する複数の文字を有するか否かを判定する（Ｓ２１３）。
【００６５】
Ｓ２１３の判定結果がＹｅｓの場合、Ｓ２１４へ進み、変数ＮをＮ＋１に設定し（Ｎ＝Ｎ＋１）、Ｓ２０９に戻る。
【００６６】
一方、Ｓ２１３の判定結果がＮｏの場合は、Ｓ２１０へ戻る。
【００６７】
一方、Ｓ２１０の判定結果がＹｅｓの場合、主制御部２１は、支店名マスタテーブルのＬ行目が最終行か否かを判定する（Ｓ２１５）。
【００６８】
Ｓ２１５の判定結果がＮｏの場合、主制御部２１は、変数ＬをＬ＋１に設定し（Ｌ＝Ｌ＋１）、変数Ｍを１に設定し（Ｍ＝１）（Ｓ２１６）、Ｓ２０３へ戻る。
【００６９】
一方、Ｓ２１５の判定結果がＹｅｓの場合には、本処理が終了する。
【００７０】
このような図１０に示した振込先支店名類似テーブル作成処理によって、振込先支店名類似テーブルの作成及びハードディスク２３への記憶が行われる。
【００７１】
なお、このような処理は、ホストコンピュータ２で行いその結果を、ホストコンピュータ２から自動取引装置１へ送信してもよい。
【００７２】
次に、自動取引装置１が行う自動取引処理について説明する。
図１１は、自動取引装置１が行う自動取引処理の一例を示すフローチャートである。図１２は、取引選択画面の一例を示す図である。図１３は、振込取引における振込先金融機関名選択画面の一例を示す図である。図１４は、振込取引における振込先支店名先頭文字選択画面の一例を示す図である。図１５は、振込取引における第１の振込先支店名選択画面の一例を示す図である。図１６は、振込取引における第２の振込先支店名選択画面の一例を示す図である。図１７は、振込取引における振込先口座番号入力画面の一例を示す図である。
【００７３】
例えば、自動取引装置１に設けられた図示しない顧客検知センサが顧客の接近を検知すると、自動取引装置１の主制御部２１は、図１１に示した自動取引処理を開始する。
【００７４】
図１１において、主制御部２１は、まず、取引選択処理を行う（Ｓ３０１）。この取引選択処理では、図１２に例示するような取引選択画面が表示入力部１４に表示され、当該画面内の取引一覧の中から、顧客による表示入力部１４の操作に応じて顧客が所望する取引が選択される。本例では、「お振込み」が選択されたとする。
【００７５】
取引選択画面において「お振込み」が選択されると、主制御部２１は、振込種別選択処理を行う（Ｓ３０２）。この振込種別選択処理では、図示しない振込種別選択画面が表示入力部１４に表示され、当該画面内の振込種別一覧の中から、顧客による表示入力部１４の操作に応じて顧客が所望する振込種別が選択される。本例では、「カードのみ」が選択されたとする。なお、「カードのみ」は、キャッシュカードを用いて振込取引を行うことを表す。
【００７６】
振込種別選択画面において「カードのみ」が選択されると、主制御部２１は、顧客のキャッシュカードがカード挿入部１１に挿入されるまで待機する（Ｓ３０３）。
【００７７】
そして、キャッシュカードがカード挿入部１１に挿入されると、主制御部２１は、図示しない暗証番号入力画面を表示入力部１４に表示し、キャッシュカードの暗証番号が入力されるまで待機する（Ｓ３０４）。
【００７８】
暗証番号入力画面において、顧客による表示入力部１４の操作に応じて暗証番号が入力されると、主制御部２１は、振込先金融機関名選択処理を行う（Ｓ３０５）。この振込先金融機関名選択処理では、図１３に例示するような振込先金融機関名選択画面が表示入力部１４に表示され、当該画面内の振込先金融機関名一覧の中から、顧客による表示入力部１４の操作に応じて顧客が所望する金融機関名が選択される。本例では、「富士通フロンテック銀行」が選択されたとする。なお、この振込先金融機関名選択画面では、表示入力部１４の顧客操作により振込取引の取り消しや前の画面に戻ることも行われ得る。
【００７９】
振込先金融機関名選択画面において「富士通フロンテック銀行」が選択されると、主制御部２１は、振込先支店名先頭文字選択処理を行う（Ｓ３０６）。この振込先支店名先頭文字選択処理では、図１４に例示するような振込先支店名先頭文字選択画面が表示され、当該画面内の片仮名の５０音表の中から、顧客による表示入力部１４の操作に応じて顧客が所望する振込先支店名の片仮名読みの先頭１文字が選択される。本例では、顧客が所望する振込先支店名である「前橋南」の片仮名読みの先頭１文字である「マ」が選択されたとする。なお、この振込先支店名先頭文字選択画面では、表示入力部１４の顧客操作により、振込取引の取り消しや振込金融機関名の訂正も行われ得る。
【００８０】
振込先支店名先頭文字選択画面において「マ」が選択されると、主制御部２１は、第１の振込先支店名選択処理を行う（Ｓ３０７）。この第１の振込先支店名選択処理では、ハードディスク２３に記憶されている支店名マスタテーブルから、「マ」を片仮名読みの先頭文字とする支店名（本例では、「前橋南」、「前橋南モール」、及び「前橋南橘」とする）が抽出され、抽出された支店名の一覧が、図１５に例示するような第１の振込先選択画面として表示入力部１４に表示される。そして、当該画面内の支店名一覧の中から、顧客による表示入力部１４の操作に応じて顧客が所望する振込先支店名が選択される。本例では、「前橋南」が選択されたとする。なお、この第１の振込先支店名選択画面では、表示入力部１４の顧客操作により、振込取引の取り消しや次の一覧表示も行われ得る。次の一覧表示とは、抽出された支店名の数が多いために一覧表示が複数ページに跨る場合の次のページの一覧表示のことである。
【００８１】
第１の振込先選択画面において「前橋南」が選択されると、主制御部２１は、選択された支店名（「前橋南」）の片仮名（マエバシミナミ）が、ハードディスク２３に記憶されている振込先支店名間違い履歴テーブルの間違い元カナ支店名として格納されているか否かを判定する（Ｓ３０８）。
【００８２】
Ｓ３０８の判定結果がＹｅｓの場合、主制御部２１は、振込先支店名間違い履歴テーブルから、その間違い元カナ支店名に対応する間違い先カナ支店名を取得する（Ｓ３０９）。本例では、「マエバシミナミ」に対応する「タカサキミナミ」が取得されたとする（図５参照）。
【００８３】
一方、Ｓ３０８の判定結果がＮｏの場合、又は、Ｓ３０９の後、主制御部２１は、選択された支店名（「前橋南」）が、ハードディスク２３に記憶されている振込先支店名類似テーブルの類似元支店名として格納されているか否かを判定する（Ｓ３１０）。
【００８４】
Ｓ３１０の判定結果がＹｅｓの場合、主制御部２１は、振込先支店名類似テーブルから、その類似元支店名に対応する類似先支店名を取得する（Ｓ３１１）。本例では、「前橋南」に対応する「前橋南モール」及び「前橋南橘」が取得されたとする（図６参照）。
【００８５】
一方、Ｓ３１０の判定結果がＮｏの場合、又は、Ｓ３１１の後、主制御部２１は、間違い先カナ支店名及び類似先支店名の一方又は両方が取得されたか否かを判定する（Ｓ３１２）。
【００８６】
Ｓ３１２の判定結果がＹｅｓの場合、主制御部２１は、Ｓ３０７で選択された振込先支店名の支店住所と、Ｓ３０９で取得された間違い先カナ支店名及びＳ３１１で取得された類似先支店名の一方又は両方の各支店住所とを、ハードディスク２３に記憶されている支店名マスタテーブルから取得する（Ｓ３１３）。
【００８７】
Ｓ３１３の後、主制御部２１は、第２の振込先支店名選択処理を行う（Ｓ３１４）。この第２の振込先支店名選択処理では、Ｓ３０７で選択された振込先支店名（「前橋南」）と、Ｓ３０９で取得された間違い先カナ支店名（「高崎南」）及びＳ３１１で取得された類似先支店名（「前橋南モール」及び「前橋南橘」）の一方又は両方とが、Ｓ３１３で取得された住所と共に、図１６に例示するような第２の振込先支店名選択画面として一覧表示される。なお、この一覧表示では、図１６に例示したように、選択された振込先支店名（「前橋南」）が、他の振込先支店名（「高崎南」、「前橋南モール」、及び「前橋南橘」）と区別可能に表示される。そして、当該画面内の支店名一覧の中から、顧客による表示入力部１４の操作に応じて顧客が所望する振込先支店名が選択される。
【００８８】
この第２の振込先支店名選択画面での選択では、顧客は、第１の振込先支店名選択画面で選択した振込先支店名（「前橋南」）に間違いが無ければ、同じ振込先支店名（「前橋南」）を再選択し、第１の振込先支店名選択画面で選択した振込先支店名（「前橋南」）が間違いであって且つ第２の振込先支店名選択画面に一覧表示されている他の振込先支店名（「高崎南」、「前橋南モール」、又は「前橋南橘」）が正しいと気付いたときは、他の振込先支店名を選択することができる。特に、第２の振込先支店名選択画面では、振込先支店名と共に住所も併せて表示されるので、顧客は、第１の振込先支店名選択画面で選択した振込先支店名に間違いで有った場合に、その間違いに気付き易い。
【００８９】
本例では、第１の振込先支店名選択画面で顧客が選択した振込先支店名（「前橋南」）に間違いが無かったとして同じ振込先支店名（「前橋南」）が再選択されたとする。
【００９０】
一方、Ｓ３１２の判定結果がＮｏの場合、又は、Ｓ３１４の後、主制御部２１は、選択された振込先支店名を確定する（Ｓ３１５）。このＳ３１５では、Ｓ３１２の判定結果がＹｅｓであった場合には第２の振込先支店名選択画面で選択された振込先支店名が、又は、Ｓ３１２の判定結果がＮｏであった場合には第１の振込先支店名選択画面で選択された振込先支店名が、振込取引における振込先支店名として確定される。
【００９１】
続いて、主制御部２１は、振込先科目選択処理を行う（Ｓ３１６）。この振込先科目選択処理では、図示しない振込先科目選択画面が表示入力部１４に表示され、当該画面内の振込先科目一覧の中から、顧客による表示入力部１４の操作に応じて顧客が所望する振込先科目が選択される。本例では、「普通」が選択されたとする。
【００９２】
続いて、主制御部２１は、振込先口座番号入力処理を行う（Ｓ３１７）。この振込先口座番号入力処理では、図１７に例示するような振込先口座番号入力画面が表示入力部１４に表示され、顧客による表示入力部１４の操作に応じて振込先口座番号が入力され「確認」が押下される。なお、この振込先口座番号入力画面では、表示入力部１４の顧客操作により、振込取引の取り消しや振込先科目の訂正や前の画面に戻ることも行われ得る。
【００９３】
そして、振込先口座番号入力画面に振込先口座番号が入力され「確認」が押下された後は、公知の振込取引処理と同様にして処理が行われる。なお、この処理の詳細については説明を省略する。
【００９４】
以上のように、本実施形態に係る自動取引装置１によれば、第１の振込先支店名選択画面で顧客が振込先支店名を選択したときに、その振込先支店名に類似する振込先支店名（過去に間違われた振込先支店名や、共通の連続する複数の文字を有する振込先支店名）が存在する場合には、顧客が選択した振込先支店名及びそれに類似する振込先支店名の一覧を含む第２の振込先支店名選択画面が表示され、顧客による再度の振込先支店名選択操作が促される。これにより、顧客は、再度の振込先支店名選択操作を行うときに、自身が第１の振込先支店名選択画面で選択した振込先支店名とそれに類似する振込先支店名の存在を確認することができ、そのときに、第１の振込先支店名選択画面で選択した振込先支店名が誤りであり且つ第２の振込先支店名選択画面に一覧表示されている他の振込先支店名が正しいと気付いたときは、その正しい振込先支店名を選択し直すことができる。特に、第２の振込先支店名選択画面では、各振込先支店名の支店住所も併せて表示されるので、第１の振込先支店名選択画面で選択した振込先支店名が誤りであった場合に、その誤りに顧客が気付き易い。従って、顧客により誤った振込先支店名が選択されて振込取引が行われてしまうことを防止することができる。また、これにより、振込取引エラーの発生を抑制することができるので、振込取引エラー発生時の行員等による後処理に係る負担も抑制することもできる。
【００９５】
なお、本実施形態に係る自動取引装置１において、第２の振込先支店名選択画面による振込先支店名の一覧表示では、顧客が第１の振込先支店名選択画面で選択した振込先支店名を他の振込先支店名と区別可能に表示する際に、顧客が第１の振込先支店名選択画面で選択した振込先支店名の例えば色やサイズ等が他の振込先支店名と異なるように表示してもよい。
【００９６】
また、第２の振込先支店名選択画面による振込先支店名の一覧表示では、顧客が第１の振込先支店名選択画面で選択した振込先支店名を中央に配置し、他の振込先支店名をその周辺に配置して表示するようにしてもよい。
【００９７】
また、本実施形態に係る自動取引装置１において、振込先支店名間違い履歴テーブルは、顧客別に作成され、ハードディスク２３に記憶されるようにしてもよい。この場合、図１１のＳ３０８及びＳ３０９では、顧客に応じた振込先支店名間違い履歴テーブルが使用される。また、この場合は、Ｓ３０３及びＳ３０４でカード挿入部１１に挿入されたキャッシュカードによって顧客が特定される。
【００９８】
以上、本発明の実施の形態を説明したが、本発明は、上述した実施の形態に限定されることなく、本発明の要旨を逸脱しない範囲内で種々の改良・変更が可能である。
【符号の説明】
【００９９】
１          自動取引装置
２          ホストコンピュータ
３          ネットワーク
１０        通帳挿入部
１１        カード挿入部
１２        硬貨入出金部
１３        紙幣入出金部
１４        表示入力部
２０        ＡＴＭ制御部
２１        主制御部
２２        メモリ
２３        ハードディスク
２４        ホスト通信制御部
２５        画面表示部
２６        キー入力部
２７        ＩＯ制御部
３０        紙幣処理ユニット
４０        硬貨処理ユニット
５０        通帳処理ユニット
６０        カード処理ユニット
７０        レシート発行処理ユニット
７１        第１の選択部
７２        記憶部
７３        判定部
７４        表示部
７５        第２の選択部
７６        確定部
【図１】
2017146901.tif 000003
【図２】
2017146901.tif 000004
【図３】
2017146901.tif 000005
【図４】
2017146901.tif 000006
【図５】
2017146901.tif 000007
【図６】
2017146901.tif 000008
【図７】
2017146901.tif 000009
【図８】
2017146901.tif 000010
【図９】
2017146901.tif 000011
【図１０】
2017146901.tif 000012
【図１１】
2017146901.tif 000013
【図１２】
2017146901.tif 000014
【図１３】
2017146901.tif 000015
【図１４】
2017146901.tif 000016
【図１５】
2017146901.tif 000017
【図１６】
2017146901.tif 000018
【図１７】
2017146901.tif 000019